(57)【要約】【課題】内部に封入したガスを噴射ノズルから吸引するタイプのスプレー缶の噴射ノズルに装着できるキャップを提供する。【解決手段】筒体形状の噴射ノズルを被覆するノズル被覆部11と、ノズル被覆部11の根元部に形成された脚部15とから成る。ノズル被覆部11の先端開口部にはエアー流通可能な仕切り部13を形成する。仕切り部13の間には貫通穴14が形成される。脚部15はノズル被覆部11から横方向に延長する延長部からなる。ノズル被覆部11の先端部の内部に、スプレー缶の噴射ノズルの先端が当接する段部が形成されている。スプレー缶の噴射ノズル内に香料等を含浸させた吸収体を挿入した後に、スプレー缶の噴射ノズルに装着して使用する。ノズル被覆部11の根元部内部に環状の溝状部又は突条部を設けた。【選択図】図１
0003136577.tif 000002
【実用新案登録請求の範囲】
【請求項１】
内部に各種気体を封入したスプレー缶の噴射ボタンを押圧して内部気体を噴射させ、かかる気体を吸引するためにスプレー缶の噴射ノズル(32)に装着して使用するノズル・キャップ(10)であって、
筒体形状の噴射ノズル(32)を被覆するノズル被覆部(11)と、ノズル被覆部(11)の根元部に形成された脚部(15)とから成り、
ノズル被覆部(11)の先端開口部にはエアー流通可能な仕切り部(13)が形成され、
脚部(15)はノズル被覆部(11)から横方向に延長する少なくとも１つの延長部からなることを特徴とするノズル・キャップ。
【請求項２】
脚部(15)が平面視略点対称位置に２つ設けられていることを特徴とする請求項１に記載のノズル・キャップ。
【請求項３】
ノズル被覆部(11)の先端部の内部に、スプレー缶(40)の噴射ノズル(32)の先端が当接する段部(17)が形成されていることを特徴とする請求項１又は２に記載のノズル・キャップ。
【請求項４】
スプレー缶(40)の噴射ノズル(32)内に香料等を含浸させた吸収体(35)を挿入した後に、スプレー缶(40)の噴射ノズル(32)に装着して使用することを特徴とする請求項１乃至３の何れかに記載のノズル・キャップ。
【請求項５】
ノズル被覆部(11)の根元部内部に環状の溝状部(18)又は突条部を少なくとも１本設けたことを特徴とする請求項１乃至４の何れかに記載のノズル・キャップ。
【考案の詳細な説明】
【技術分野】
【０００１】
本考案は、各種の気体が封入されたスプレー缶の噴射ノズルに装着して使用するノズルキャップに関するものである。
【背景技術】
【０００２】
従来、気体が封入されたスプレー缶としては、例えば、内部に酸素等が封入されたリフレッシュ用のスプレー缶や、下記特許文献１に記載の酸素スプレー等を挙げることができる。
上記リフレッシュ用の酸素スプレー缶は、噴射口に接続されたゴム管の先端にロート形状の吸引口に口を近づけて吸引するものや、スプレー缶の噴射ノズルにマスクを取り付けて、そのマスクに口を当てて吸引するタイプのものである。
下記特許文献１に記載のものは、緊急の場合に、噴射口を口でくわえ、下方に押圧することにより酸素を吸引できるものである。
【特許文献１】実開平６−３４６５１号公報
【０００３】
更に、最近では、玩具として、ヘリウム・ガスと酸素ガスとの混合ガスをスプレー缶に圧縮封入して、これを噴射、吸引して発声することにより、声がアヒルのような甲高い声に変わって、おしゃべりをすることができるというものが市販されている。
この玩具は、ヘリウム・ガス８０％と、酸素ガス２０％とをスチール缶に圧縮封入したものであって、遊戯者は、このスプレー缶の最上端にある噴射ノズルをくわえ、噴射用ボタン（スパウト）を押圧することにより、缶内のガスを噴射させて吸引することができるものである。
上記混合ガスは、深海作業等において使用される無害な呼吸用混合ガスである。
そして、このスプレー缶においても、吸引に際しては、噴射ノズルを口で直接くわえ、鼻をつまんだ状態で吸引するのである。
【考案の開示】
【考案が解決しようとする課題】
【０００４】
上記の従来例においては、リフレッシュ用のスプレー缶を除き、何れもスプレー缶の噴射ノズルを直接口にくわえて吸引を行うものである。
他方、リフレッシュ用の酸素スプレー等においては、マスク等を口に当てて吸引するのであるが、吸引に際して香料等を用いてよい香りを付加したものが存在していた。
この香料等を付加するのは、勿論アロマセラピー効果を付加するものではあるが、酸素自体は、無色無臭であるため、酸素を吸引した自覚が得られないために、このような香りを付加して、その吸引の実感を得るという効果もあるのである。
しかし、これら香料等は、酸素と接すると経時的に質的変化を起こしてしまい、スプレー缶内に封入することができなかった。そこで従来は、吸引用のマスクの内側等にマイクロカプセル化した香料を付着させ、使用時にそのカプセルを擦って破り、香りを付加していたのである。
【０００５】
他方、上記のような声を変える混合ガスを封入したスプレー缶の場合には、直接噴射ノズルをくわえて吸引するために、吸気或は呼気に際して香りを付加する手段が全くなかったのである。
そして、ヘリウム・ガス及び酸素ガスは無色無臭であるため、この混合ガスの吸引に失敗して声が変わらなかった場合には、その吸引した実感が感じられず、つまり実際に混合ガスを吸引出来たのか否かを実感することができず、何か肩透かしを受けたような感覚しか残らないのである。
【０００６】
そこで、本考案においては、このような声が変わるガスを吸引する玩具を使用する際に、たとえ吸引に失敗して声が変わらなかった場合でも、確かにそのガスを吸引したという実感を付与すべく、そのガスに香りを付加したいというのがその考案のスタートであった。
そして、その香りを付加すべく、香料等を含浸させた吸収体を創案し、この吸収体を使用時にスプレー缶の噴射ノズルに挿入することに想到したのである。
しかし、スプレー缶内の圧力は約１０気圧程度あるために、上記噴射ノズル内に挿入すると、この吸収体が缶内ガスの噴射時に飛出し、口腔内に飛び込んでしまうという問題が生じた。
そこで、本考案はこの問題を解決するための好適なノズル・キャップの創案をその第一の課題としたのである。
従来このような外付け別体のノズル・キャップは全く存在していなかったものである。
【０００７】
次に、上記の声を変える玩具においては、既に述べたように吸引中に外気が肺の中に侵入してしまうと、うまく声が変わらない場合がある。鼻をつまむ動作はその外気の侵入を防止するためなのである。
そこで、本考案においては、外気の侵入を防止するために、鼻をつまむ動作については同じであるが、吸引に際して外気が侵入しないもので、且つ缶内のガスのみを良好に吸引できるようなノズル・キャップを提供することをその課題としている。
【０００８】
そして、このキャップはアタッチメントとして噴射ノズルに装着するのであるが、その装着、使用に当たり、該キャップを飲み込んでしまわないような手段を講ずることもその課題とするところである。
【課題を解決するための手段】
【０００９】
上記の課題を解決するために、本考案の第１のものは、内部に各種気体を封入したスプレー缶の噴射ボタンを押圧して内部気体を噴射させ、かかる気体を吸引するためにスプレー缶の噴射ノズルに装着して使用するノズル・キャップであって、
筒体形状の噴射ノズルを被覆するノズル被覆部と、ノズル被覆部の根元部に形成された脚部とから成り、
ノズル被覆部の先端開口部にはエアー流通可能な仕切り部が形成され、
脚部はノズル被覆部から横方向に延長する少なくとも１つの延長部からなることを特徴とするノズル・キャップである。
ここで、脚部が延長する「横方向」というのは、ノズル被覆部を鉛直方向に配置した際に、それに対する略水平方向を意味する。
【００１０】
本考案の第２のものは、上記第１の考案において、脚部が平面視略点対称位置に２つ設けられていることを特徴とするノズル・キャップである。
ここで、「平面視」というのは、ノズル被覆部を鉛直方向に配置した際の平面視を意味する。
本考案の第３のものは、上記第１又は第２の考案において、ノズル被覆部の先端部の内部に、スプレー缶の噴射ノズルの先端が当接する段部が形成されていることを特徴とするノズル・キャップである。
【００１１】
本考案の第４のものは、上記それぞれの考案において、スプレー缶の噴射ノズル内に香料等を含浸させた吸収体を挿入した後に、スプレー缶の噴射ノズルに装着して使用することを特徴とするノズル・キャップである。
本考案の第５のものは、上記それぞれの考案において、ノズル被覆部の根元部内部に環状の溝状部又は突条部を少なくとも１本設けたことを特徴とするノズル・キャップである。
ここで、「環状の溝状部又は突条部」とは、ノズル被覆部の根元部内部で、その周方向に溝状部又は突条部が形成されていることを意味する。
【考案の効果】
【００１２】
本考案の第１のものにおいては、スプレー缶の噴射ノズルに付加的に装着して使用することができ、噴射ノズルを直接くわえた場合に比較して、その外径がより太くなりくわえ易いものとなる。
ノズル・キャップには脚部が少なくとも１つ横方向に延長しているために、指等をこの延長部に掛けて使用することもでき、口でくわえつつ、スパウトを押圧する際に便利なものとなる。
この延長部をスパウトの上に位置させることにより、例えば親指で、延長部を押さえつつスパウトも同時に押圧することもできる。
【００１３】
そして、重要な点は、この脚部の存在により、本考案のキャップを使用する者がこのキャップを口にくわえてスプレー缶内部の気体を吸引する際に、このキャップを誤って飲み込んでしまわないということである。
使用者は、ノズル被覆部を口をすぼめてくわえて吸引するが、その際脚部が閉じた唇の上部又は下部或は左右側に延長して引っ掛かる状態となって、口腔内にキャップの全体が侵入してしまうことが防止されるのである。
【００１４】
本考案の第２のものにおいては、脚部が平面視点対称位置に２つ設けられているために、２本の指でこれら脚部を押さえることもでき、極めて使い易いものとなる。
本考案の第３のものにおいては、キャップのノズル被覆部の先端部内部に段部を設けているために、スプレー缶の噴射ノズルの先端がその段部に好適に当接して、ノズルから噴射されるガスが良好に外部に排出される。
【００１５】
本考案の第４のものにおいては、香料等を含浸させた吸収体を噴射ノズル内に挿入しているが、この吸収体は、噴射ガスの圧力で外部に飛び出す恐れがあるが、ノズル・キャップのノズル被覆部の先端開口部にはエアー流通可能な仕切り部が設けられているために、決して前記吸収体が外部に飛び出し、使用者の喉に詰まる恐れは全くないものとなる。
【００１６】
本考案の第５のものにおいては、ノズル被覆部の根元部内部に環状の溝状部を形成しているために、ノズル被覆部をスプレー缶の噴射ノズルに嵌合させた際に、前記溝状部が多少広がる状態となり、ノズル被覆部の根元部が噴射ノズルにより密着した状態で結合し、両者の嵌合がより堅固なものとなる。それ故、噴射ノズルの根元部から外気が侵入することも全くなく、噴射ノズルから噴射されたガスのみを吸引することができるのである。
上記溝状部の代わりに環状の突条部を形成した場合にも、この突条部が噴射ノズルの外側面に密着して、堅固な嵌合が得られ、同様の効果が生じる。
【考案を実施するための最良の形態】
【００１７】
以下、添付の図面と共に最良の一実施形態について説明する。
図１は本考案のノズル・キャップに係る一実施形態を図示する拡大全体斜視図である。
本考案に係るノズル・キャップ１０は、平面視略円形の略筒形状のノズル被覆部１１と、ノズル被覆部１１の根元部から横方向に、つまり略水平方向に脚部１５、１５が平面視点対称位置に２つ設けられている。
これらノズル被覆部１１及び脚部１５、１５は、ポリプロピレン樹脂から一体成形されたものである。
【００１８】
ノズル被覆部１１の上端部には、平面視十文字形状の仕切り部１３が形成され、仕切り部１３には、貫通穴１４が４つ形成され、スプレー缶の噴射ノズルから噴射されるガスを適切に外部に排出させることができる。
この仕切り部１３は、後に説明するが、スプレー缶の噴射ノズル内に挿入される香料を含浸させた吸収体が外部に飛び出すこと、即ち、口腔内に入り込むことを防止するものである。
この仕切り部１３も、他の構成要素と同時に一体的に成形される。
【００１９】
図２は、上記実施形態に示したノズル・キャップを示しており、その（Ａ）が平面図、その（Ｂ）が図１のＡ−Ａ断面図である。
図２（Ａ）から解る通り、脚部１５、１５は、この図では左右対称に２つ形成されている。仕切り部１３も平面視、十文字形状に形成され、その間に４つの貫通穴１４が設けられている。
ノズル被覆部１１は、多少上方部分の内径及び外径が根元部のそれよりも細く形成された筒形状を有している。この内部にスプレー缶の上端部に形成されている噴射ノズルを挿入することができる。
【００２０】
このノズル被覆部１１の内壁面の上方部には、段部１７が形成されている。
この段部１７は、ノズル被覆部１１の内壁面の周方向の全体に渡り設けられており、内部に挿入される噴射ノズルの先端部が当接することとなる。
これにより、噴射ノズルの噴射口と仕切り部１３との間隔が維持され、良好に噴射ガスが排出されるのである。
【００２１】
更に、ノズル被覆部１１の根元部の内壁面には、２本の環状の溝状部１８、１８が形成されている。
こららの溝状部１８、１８は、内壁面の周方向の全体に設けらており、噴射ノズルにこのキャップを装着する際、このノズル被覆部１１の根元部が噴射ノズルに嵌合し、密着する訳であるが、キャップの素材とも相俟って、これらの溝状部１８多少広がるように変形し、これによりノズル被覆部１１の根元部もその外径が少し広がるように変形するが、その反作用として素材の収縮力が作用して、ノズル被覆部１１がスプレー缶の噴射ノズルに密着して堅固に嵌合することとなる。
この構成により、ノズル被覆部１１の下端部から外気が侵入することがほぼ完全に防止されるのである。
【００２２】
図３は、上記実施形態に係るノズル・キャップの使用状態を示す説明図であって、その（Ａ）がノズル・キャップをスプレー缶の噴射ノズルに装着した状態を示し、その（Ｂ）が噴射ノズルのスパウトを押圧した状態を示している。
スプレー缶４０は、従来からあるもので、缶の上端部にはマウンテンカップ４１が設けられ、その平面視略中央部に噴射元ノズル４２が設けられている。
そして、この噴射元ノズル４２を押圧し、缶内のガスを噴射するためのスパウト３０がその上部に設けられている。
【００２３】
この実施形態に示したスパウト３０は、図には明瞭に示していないが、その一部が回動自在に枢支された形式のもので、矢印Ｄの方向に指で押圧することにより、噴射元ノズル４２が下方に押圧されて、缶内ガスが噴射元ノズル４２から噴射して、スパウト内の通路
３１を通過して、噴射ノズル３２へ達してノズル被覆部１１の上端の貫通穴１４から排出されるのである。
これら両図においては、ノズル・キャップ１０のノズル被覆部１１の根元部と、噴射ノズル３２との間に間隔を開けているが、これは、図示明瞭化のためであり、実際には、上記したとおり、ノズル被覆部１１の根元部の内壁面は、噴射ノズル３２或はその通路３１の根元部と密着し、堅固に嵌合された状態となっており、外気が内部に侵入しない構造となっている。
【００２４】
図４は、本考案に係るノズル・キャップの装着状態を示しているが、噴射ノズル内に香料等が含浸された吸収体を挿入して使用する態様を図示した説明図である。
この図４の状態は、図３（Ａ）と同じ状態であるが、この図に示した使用状態においては、スプレー缶４０の噴射ノズル３２の通路３１内に、香料を含浸した円柱形状の吸収体３５を挿入している。
この吸収体３５は、強く圧縮したウレタンを円柱形状に打ち抜いたものから形成され、各種香料、例えば、ペパーミント、フルーティローズ、グレープフレーツ等の香りの食品添加用フレーバーを前記圧縮ウレタンに含浸させたものである。
【００２５】
いわば香りの素とも言えるこの吸収体３５を予め噴射ノズル３２の内部通路３１に挿入した後、本考案に係るノズル・キャップを装着して使用することにより、例えば声の変わる混合ガスが封入されたスプレー缶に用いた場合には、声が変わると共にその声に香料が付加されたものとなるのである。
ここで、本考案のノズル・キャップの使用例として、スプレー缶内にヘリウム・ガスと酸素ガスが混入された声を変える玩具スプレー、即ち本件出願人が開発した「変声カン」（登録商標）というブランド名にて製造・販売する予定の玩具スプレーに装着して、使用する手順について以下説明する。
【００２６】
先ず、香りの素となる吸収体３５を噴射ノズル３２内に挿入する。
次に、噴射ノズル３２に本考案に係るノズル・キャップ１０を装着する。
即ち、ノズル・キャップ１０のノズル被覆部１１の下端開口部を噴射ノズル３２の先端から被せて行く。
ノズル被覆部１１の根元部が噴射ノズル３２の根元部に到達し、ノズル被覆部１１の内部上方部に形成された段部１７に噴射ノズル３２の上端部が当接した状態で、ノズル・キャップ１０の装着は完了である。
【００２７】
このとき、ノズル被覆部１１の根元部の内壁面は、噴射ノズル３２の根元部に密着し、堅固に嵌合されている。
またこのとき、ノズル・キャップ１０の脚部１５、１５の位置は、全く任意であって、使用者の使い易い位置に配置すればよい。
図４では、本考案の構成等が容易に見て取れるように、図中右側の脚部１５がスパウト３０の押圧部の上に配置された状態としているが、当然のこととして脚部１５の配置は、使用者の自由である。
【００２８】
以上で、ノズル・キャップ１０の装着は完了した訳であるが、更に使用者は、肺に残留している空気を目一杯吐き出し、そのままの状態で鼻をつまんで、ノズル・キャップ１０のノズル被覆部１１を口にくわえる。このとき脚部１５の部位に唇が接触する位まで口にくわえるとよい。
次に、スパウト３０を押圧して、缶内の混合ガスを吸引するのである。
その後、吸引した混合ガスだけで声を出すことにより、その声はアヒルのような高い声となり、それと共に各種の香りも発散されることとなり、香り付きのボイスパフォーマンスを楽しむことが出来るのである。
ここで、吸引中に外気を吸引してしまい、声が変わらない場合でも、呼気に香りが付加されており、スプレー缶内のガスが吸引されたことが解るのである。
【００２９】
以上、実施形態について説明したが、本考案においては以下の通り設計変更することができるものである。
本考案に係るノズル・キャップにおいては、そのノズル被覆部及び脚部のサイズ、形状、材質等は任意に設計変更可能である。
ノズル被覆部は、その外形形状を上記実施形態では、平面視略円形の円筒状のものとして実施したが、その外形形状は、略楕円形状でも良く、すぼめた唇の形状により良好に合致するようなものであれば任意に設計することができる。但し、内部の形状は、噴射ノズルの外形形状に合致させる必要がある。
【００３０】
ノズル被覆部の先端部に形成した仕切り部は、上記実施形態では、平面視十文字形状に４つに区分けした状態に設けたが、これを３つの貫通穴として実施することもできるし、最低直径方向に１本の仕切りさえがあれば、内部の吸収体の飛び出しを防止することができるものである。平面視十文字でなく、平行に２本或は３本の仕切りであってもよいものである。
【００３１】
ノズル被覆部の根元部内部に形成された環状の溝状部の構成も、噴射ノズルとの堅固な嵌合をその機能とするものであるために、その根元部内部に環状の１本の突条部を設けたものであってもよいのである。その突条部によりノズル被覆部の根元部内壁面は、噴射ノズルの外壁面と密着し、堅固に嵌合しうるものとなるからである。
【００３２】
ノズル被覆部の根元部に形成した脚部は、最低１つあればその役目を果たすものであるが、この数は自由であり、３個以上設けてもよいし、周方向全体に鍔部のようにフランジ状に形成することもできる。また、フランジ状の一部を切り欠いた形状に形成することも可能である。
噴射ノズル内部に挿入する香料を含浸した吸収体も、上記のように圧縮ウレタンばかりでなく、吸収力の大きい素材であればどのような素材でも採用することができる。
【００３３】
尚、ノズル被覆部の内部上方部に形成した段部、ノズル被覆部の根元部内部に形成した溝状部等は、任意の構成要素であって、これらを設けなくとも実施可能である。
即ち、ノズル被覆部の内部の形状を噴射ノズルに適宜適合させることにより、その素材の有する弾性力により堅固に両者を密着、嵌合させることができるからである。
以上、本考案は、簡易な構成にして多くの効果を発揮するノズル・キャップを創案することができた。
【図面の簡単な説明】
【００３４】
【図１】本考案に係る実施形態を図示する拡大全体斜視図である。
【図２】本考案に係る実施形態を示しており、その（Ａ）が平面図、その（Ｂ）が図１のＢ−Ｂ断面図である。
【図３】本考案に係る実施形態の使用状態を示す説明図であって、その（Ａ）が噴射ノズルに装着した状態を示し、その（Ｂ）が噴射ノズルのスパウトを押圧した状態を示している。
【図４】本考案に係る実施形態の装着状態の説明図であり、噴射ノズル内に香料等を含浸した吸収体を挿入して使用する態様を図示している。
【符号の説明】
【００３５】
１０  ノズル・キャップ
１１  ノズル被覆部
１３  仕切り部
１４  貫通穴
１５  脚部
１７  段部
１８  溝状部
３０  スパウト
３２  噴射ノズル
３５  吸収体
【図１】
0003136577.tif 000003
【図２】
0003136577.tif 000004
【図３】
0003136577.tif 000005
【図４】
0003136577.tif 000006